(57)【要約】【課題】起動する入力電圧および起動時間を設定できるとともに、起動後の損失を低減するスイッチング電源を提供する。【解決手段】トランスと、入力電圧を断続的にトランスの１次巻線に供給するスイッチング素子と、電源端子に電圧が印加されることでスイッチング素子を制御する制御回路部と、３次巻線の端子間に接続されたコンデンサと、入力電圧が所定の電圧に達したことを検出する入力電圧検出回路部と、入力電圧検出回路が、入力電圧が所定の電圧に達するとコンデンサの充電を開始するレギュレータ回路部と、コンデンサの充電を開始してから所定の時間を計時するタイマ回路部と、タイマ回路部が所定の時間を計時すると、コンデンサに蓄積された電力を制御回路部の電源端子に供給するとともに、レギュレータ回路部の動作を停止させる起動スイッチ回路部とを備えたスイッチング電源。【選択図】図１
2011125132.tif 000002
【特許請求の範囲】
【請求項１】
１次巻線に供給される電力を２次巻線および３次巻線に伝達するトランスと、
入力電圧を断続的に前記トランスの１次巻線に供給するスイッチング素子と、
電源端子に電圧が印加されることで前記スイッチング素子のスイッチング動作の制御を行なう制御回路部と、
前記３次巻線の端子間に接続されたコンデンサと、
前記入力電圧が所定の電圧に達したことを検出する入力電圧検出回路部と、
前記入力電圧検出回路が、前記入力電圧が所定の電圧に達したことを検出すると前記コンデンサの充電を開始するレギュレータ回路部と、
前記コンデンサの充電を開始してから所定の時間を計時するタイマ回路部と、
前記タイマ回路部が所定の時間を計時すると、前記コンデンサに蓄積された電力を前記制御回路部の電源端子に供給するとともに、前記レギュレータ回路部の動作を停止させる起動スイッチ回路部と、を備えたことを特徴とするスイッチング電源。
【請求項２】
チョークコイルと、
入力電圧を断続的に前記チョークコイルの１次巻線に供給するスイッチング素子と、
電源端子に電圧が印加されることで前記スイッチング素子のスイッチング動作の制御を行なう制御回路部と、
前記チョークコイルの２次巻線に接続されたコンデンサと、
前記入力電圧が所定の電圧に達したことを検出する入力電圧検出回路部と、
前記入力電圧検出回路が、前記入力電圧が所定の電圧に達したことを検出すると前記コンデンサの充電を開始するレギュレータ回路部と、
前記コンデンサの充電を開始してから所定の時間を計時するタイマ回路部と、
前記タイマ回路部が所定の時間を計時すると、前記コンデンサに蓄積された電力を前記制御回路部の電源端子に供給するとともに、前記レギュレータ回路部の動作を停止させる起動スイッチ回路部と、を備えたことを特徴とするスイッチング電源。
【請求項３】
前記入力電圧検出回路部は、第１抵抗と第２抵抗とトランジスタとツェナーダイオードとを含んで構成され、
前記入力電圧を前記第１抵抗と前記第２抵抗とで分割した値と、前記ツェナーダイオードに生じる基準電圧とを前記トランジスタを用いて比較することで前記入力電圧が所定の電圧に達したことを検出することを特徴とする請求項１または２に記載のスイッチング電源。
【請求項４】
前記タイマ回路部は、第３抵抗と第２コンデンサとを含んで構成され、前記第３抵抗の抵抗値と、前記第２コンデンサの容量とによる時定数を利用して前記所定の時間を計時することを特徴とする請求項１または２に記載のスイッチング電源。
【発明の詳細な説明】
【技術分野】
【０００１】
本発明は、スイッチング電源に係り、特に、起動する入力電圧および起動時間を設定できるとともに、起動後の損失を低減するスイッチング電源に関する。
【背景技術】
【０００２】
図４は、従来のスイッチング電源の回路例を示す図である。本図において、交流電源Ｖｉｎ１から印加された入力電圧は、ダイオードブリッジＤＢ２によって整流され、コンデンサＣ３によって平滑化される。この電圧が起動抵抗Ｒ４を介して制御回路５およびコンデンサＣ６に供給され、コンデンサＣ６の端子電圧が上昇する。
【０００３】
コンデンサＣ６の端子電圧が制御回路５の起動開始電圧に達すると、制御回路５が動作を開始し、スイッチング素子であるＦＥＴ８をＯＮ／ＯＦＦすることで、トランスＴ９の１次巻線Ｍ１３にパルス電圧を印加する。そして、２次巻線Ｍ１５に誘起された電圧を、ダイオードＤ１０、コンデンサＣ１１により整流・平滑化し、出力電圧Ｖｏｕｔとして負荷抵抗Ｒ１２に供給する。
【０００４】
また、トランスＴ９の３次巻線Ｍ１４に誘起される交流電圧を、ダイオードＤ７、コンデンサＣ６で整流・平滑化し、制御回路５に電圧を供給することで、スイッチング電源の動作が継続する。このとき、起動抵抗Ｒ４を介してもコンデンサＣ６に電流が流れ込むため、起動抵抗Ｒ４において電力損失が発生する。
【先行技術文献】
【特許文献】
【０００５】
【特許文献１】特開平１０−３３７０１７号公報
【発明の概要】
【発明が解決しようとする課題】
【０００６】
スイッチング電源の起動時間は、起動抵抗Ｒ４の抵抗値と、制御回路５の動作前電流と、コンデンサＣ６の容量とで構成される時定数で決定される。このため、制御回路５の動作前電流が大きい場合には、スイッチング電源が起動するまでの時間が長くなる。
【０００７】
また、起動抵抗Ｒ４の抵抗値が大きいほど起動するまでの時間が長くなる。したがって、起動時間を早めるためには起動抵抗Ｒ４の抵抗値を小さくすればよいが、起動抵抗Ｒ４の抵抗値を小さくすると定常動作時における起動抵抗Ｒ４の電力損失が大きくなる。さらに、起動抵抗Ｒ４の抵抗値が小さいと、交流電源Ｖｉｎ１の電圧が動作想定電圧値以下の低い場合にも、制御回路５が起動してスイッチング電源の動作に支障をきたす可能性がある。
【０００８】
そこで、本発明は、起動する入力電圧および起動時間を設定できるとともに、起動後の損失を低減するスイッチング電源を提供することを目的とする。
【課題を解決するための手段】
【０００９】
上記課題を解決するため、本発明の第１の態様のスイッチング電源は、１次巻線に供給される電力を２次巻線および３次巻線に伝達するトランスと、入力電圧を断続的に前記トランスの１次巻線に供給するスイッチング素子と、電源端子に電圧が印加されることで前記スイッチング素子のスイッチング動作の制御を行なう制御回路部と、前記３次巻線の端子間に接続されたコンデンサと、前記入力電圧が所定の電圧に達したことを検出する入力電圧検出回路部と、前記入力電圧検出回路が、前記入力電圧が所定の電圧に達したことを検出すると前記コンデンサの充電を開始するレギュレータ回路部と、前記コンデンサの充電を開始してから所定の時間を計時するタイマ回路部と、前記タイマ回路部が所定の時間を計時すると、前記コンデンサに蓄積された電力を前記制御回路部の電源端子に供給するとともに、前記レギュレータ回路部の動作を停止させる起動スイッチ回路部と、を備えたことを特徴とする。
【００１０】
上記課題を解決するため、本発明の第２の態様のスイッチング電源は、チョークコイルと、入力電圧を断続的に前記チョークコイルの１次巻線に供給するスイッチング素子と、電源端子に電圧が印加されることで前記スイッチング素子のスイッチング動作の制御を行なう制御回路部と、前記チョークコイルの２次巻線に接続されたコンデンサと、前記入力電圧が所定の電圧に達したことを検出する入力電圧検出回路部と、前記入力電圧検出回路が、前記入力電圧が所定の電圧に達したことを検出すると前記コンデンサの充電を開始するレギュレータ回路部と、前記コンデンサの充電を開始してから所定の時間を計時するタイマ回路部と、前記タイマ回路部が所定の時間を計時すると、前記コンデンサに蓄積された電力を前記制御回路部の電源端子に供給するとともに、前記レギュレータ回路部の動作を停止させる起動スイッチ回路部とを備えたことを特徴とする。
【００１１】
本発明では、入力電圧が所定の電圧に達したことを検出して、所定の時間経時後に制御回路部への電圧供給を開始するため、起動する入力電圧および起動時間を設定することができるようになる。また、制御回路部への電圧供給が開始すると起動に必要な動作を行なうレギュレータ回路部の動作を停止させるため、起動後の損失を低減することができる。
【００１２】
より具体的には、前記入力電圧検出回路部は、第１抵抗と第２抵抗とトランジスタとツェナーダイオードとを含んで構成され、前記入力電圧を前記第１抵抗と前記第２抵抗とで分割した値と、前記ツェナーダイオードに生じる基準電圧とを前記トランジスタを用いて比較することで前記入力電圧が所定の電圧に達したことを検出することができる。
【００１３】
ここで、第１抵抗および第２抵抗は、実施形態における抵抗Ｒ１６、抵抗Ｒ１７に相当し、トランジスタは実施形態におけるトランジスタＴｒ１８に相当し、ツェナーダイオードは実施形態におけるツェナーダイオードＺＤ２１に相当する。
【００１４】
また、前記タイマ回路部は、第３抵抗と第２コンデンサとを含んで構成され、前記第３抵抗の抵抗値と、前記第２コンデンサの容量とによる時定数を利用して前記所定の時間を計時することができる。
【００１５】
ここで、第３抵抗は実施形態における抵抗Ｒ２８に相当し、第２コンデンサは実施形態におけるコンデンサＣ２７に相当する。
【発明の効果】
【００１６】
本発明によれば、起動する入力電圧および起動時間を設定できるとともに、起動後の損失を低減するスイッチング電源が提供される。
【図面の簡単な説明】
【００１７】
【図１】本実施形態に係るスイッチング電源の基本構成を示すブロック図である。
【図２】本実施形態に係るスイッチング電源の具体的な回路構成例を示す図である。
【図３】本実施形態に係るスイッチング電源を応用した力率改善コンバータの回路構成例を示す図である。
【図４】従来のスイッチング電源の回路例を示すブロック図である。
【発明を実施するための形態】
【００１８】
本発明の実施の形態について図面を参照して説明する。図１は、本実施形態に係るスイッチング電源の基本構成を示すブロック図である。図４に示した従来の回路例と同じ構成については同じ符号を付している。
【００１９】
本図に示すように、スイッチング電源は、交流電源Ｖｉｎ１を入力電圧源とし、ダイオードブリッジＤＢ２で整流し、コンデンサＣ３で平滑化を行なう。制御回路５は、スイッチング素子であるＦＥＴ８をＯＮ／ＯＦＦすることで、ＦＥＴ８に接続されたトランスＴ９の１次巻線Ｍ１３にパルス電圧を印加する。そして、２次巻線Ｍ１５に誘起された電圧を、ダイオードＤ１０、コンデンサＣ１１により整流・平滑化し、出力電圧Ｖｏｕｔとして負荷抵抗Ｒ１２に供給する。
【００２０】
また、トランスＴ９の３次巻線Ｍ１４に誘起される交流電圧を、ダイオードＤ７、コンデンサＣ６で整流・平滑化し、ＦＥＴ２６を介して制御回路５に供給することでスイッチング電源の動作が継続する。
【００２１】
本実施形態において、スイッチング電源は、入力電圧検出回路５０、レギュレータ回路６０、タイマ回路７０、起動スイッチ回路８０を備えている。
【００２２】
入力電圧検出回路５０は、ダイオードブリッジＤＢ２、コンデンサＣ３により、整流・平滑化された入力電圧を分圧した電圧を、基準電圧と比較することで、入力電圧が所定の電圧に達したことを検出する。
【００２３】
レギュレータ回路６０は、入力電圧検出回路５０が、入力電圧が所定の電圧に達したことを検出すると動作を開始し、コンデンサＣ６の充電を開始する。
【００２４】
タイマ回路７０は、コンデンサＣ６の充電を開始してから所定の時間経過後に、起動スイッチ回路８０をオンする。
【００２５】
起動スイッチ回路８０は、初期状態でオフとなっており、タイマ回路７０によりオンされると、コンデンサＣ６に蓄積された電力を制御回路５に供給するとともに、レギュレータ回路６０の動作を停止させる。制御回路５の電源入力端子には、他端が接地されたコンデンサＣ３１が接続される。
【００２６】
図２は、本実施形態に係るスイッチング電源の具体的な回路構成例を示す図である。本図に示すように、ダイオードブリッジＤＢ２により整流された電圧が入力され、一端が接地されたコンデンサＣ３の端子電圧は、抵抗Ｒ１６と抵抗Ｒ１７とで分割され、分割された電圧がトランジスタＴｒ１８のベースに印加される。
【００２７】
また、コンデンサＣ３の端子は、抵抗Ｒ４と、トランスＴ９の１次巻線Ｍ１３に接続される。抵抗Ｒ４の他端は、抵抗Ｒ１９とＦＥＴ２０のドレインに接続される。抵抗Ｒ１９の他端は、トランジスタＴｒ１８のエミッタと抵抗Ｒ３２と、アノードが接地されたツェナーダイオードＺＤ２１のカソードに接続される。
【００２８】
トランジスタＴｒ１８のコレクタは、抵抗Ｒ３３に接続される。抵抗Ｒ３３の他端は、トランジスタＴｒ２２のベースと、他端が接地された抵抗Ｒ２３と、抵抗Ｒ３４を介してツェナーダイオードＺＤ２４のアノードとに接続される。トランジスタＴｒ２２のコレクタは、抵抗Ｒ３２を介してトランジスタＴｒ１８のコレクタと、ＦＥＴ２０のゲートとに接続される。また、トランジスタＴｒ２２のエミッタは接地される。
【００２９】
ツェナーダイオードＺＤ２４のカソードは、ＦＥＴ２５のドレインと、制御回路５の入力電源に接続される。ＦＥＴ２５のソースは、ＦＥＴ２のソースと、抵抗Ｒ２６と、コンデンサＣ２７と、コンデンサＣ６とに接続される。
【００３０】
抵抗Ｒ２６の他端は、ＦＥＴ２５のゲートと、ツェナーダイオードＺＤ３０のカソードとに接続される。ツェナーダイオードＺＤ３０のアノードは、アノードが接地されたツェナーダイオードＺＤ１９のカソードと、コンデンサＣ２７の他端と、他端が接地された抵抗Ｒ２８に接続される。
【００３１】
本図の例では、例えば、交流電源Ｖｉｎ１としてＡＣ１００Ｖで動作するＡＣ／ＤＣコンバータに定期要した場合の動作を説明する。
【００３２】
交流電源Ｖｉｎ１から入力電圧が入力されると、ダイオードブリッジＤＢ２で整流された電圧が、コンデンサＣ３を充電する。
【００３３】
コンデンサＣ３の端子間電圧により、トランジスタＴｒ１８がオンし、トランジスタＴｒ１８のコレクタから抵抗Ｒ３３を経由して流れる電流によりトランジスタＴｒ２２もオンする。
【００３４】
コンデンサＣ３の端子間電圧がさらに上昇すると、抵抗Ｒ４、抵抗Ｒ１９を介してツェナーダイオードＺＤ２１にかかる電圧が、例えば、２０Ｖのツェナー電圧に達すると、ツェナーダイオードＺＤ２１に電流が流れ始める。
【００３５】
これにより、トランジスタＴｒ１８がオフし、トランジスタＴｒ１８のコレクタから抵抗Ｒ３３を経由して流れていた電流が流れなくなるため、トランジスタＴｒ２２もオフする。ツェナーダイオードＺＤ２１は、ツェナー電圧を維持する。
【００３６】
すなわち、主として、抵抗Ｒ１６、抵抗Ｒ１７、トランジスタＴｒ１８、抵抗Ｒ３３、トランジスタＴｒ２２、ツェナーダイオードＺＤ２１で入力電圧検出回路５０を構成する。
【００３７】
ツェナーダイオードＺＤ２１のカソード電圧が上昇したことにより、ＦＥＴ２０のゲート電圧が上昇し、ＦＥＴ２０がオンとなり、抵抗Ｒ４およびＦＥＴ２０のドレインを経由してＦＥＴ２０のソース側に電流が流れ始める。
【００３８】
すなわち、主として、ＦＥＴ２０、抵抗Ｒ４でレギュレータ回路６０を構成する。
【００３９】
この電流が、コンデンサＣ６を急激に充電する。ＦＥＴ２０のＶＧＳ−ｏｎ電圧を４Ｖとすると、コンデンサＣ６は、約１６Ｖまで上昇する。なお、抵抗Ｒ４は、例えば、１００Ω程度の低抵抗値とする。
【００４０】
コンデンサＣ６の電圧が上昇すると、抵抗Ｒ２８を経由してコンデンサＣ２７の充電が開始する。抵抗Ｒ２８の抵抗値とコンデンサＣ２７の容量とで構成される時定数でコンデンサＣ２７の電圧は、コンデンサＣ６の電圧１６Ｖに向かって上昇する。
【００４１】
コンデンサＣ２７の電圧が上昇する途中で、ツェナーダイオードＺＤ３０が導通し、ＦＥＴ２５のゲート電圧を上昇させる。ＦＥＴ２５のＶＳＧ−Ｏｎ電圧を−４Ｖとすると、ＦＥＴ２５のゲート電圧が−４Ｖを超えると、ＦＥＴ２５がオンし、制御回路５にコンデンサＣ６の端子電圧１６Ｖを供給するため、制御回路５が動作を開始する。
【００４２】
すなわち、主として、抵抗Ｒ２８、コンデンサＣ２７でタイマ回路７０を構成する。
【００４３】
動作を開始した制御回路５が、ＦＥＴ８をＯＮ／ＯＦＦすることで、トランスＴ９の１次巻線Ｍ１３にパルス電圧を印加する。そして、２次巻線Ｍ１５に誘起された電圧を、ダイオードＤ１０、コンデンサＣ１１により整流・平滑化し、出力電圧Ｖｏｕｔとして負荷抵抗Ｒ１２に供給する。
【００４４】
また、トランスＴ９の３次巻線Ｍ１４に誘起される交流電圧を、ダイオードＤ７、コンデンサＣ６で整流・平滑化し、ＦＥＴ２５を経由して制御回路５に電圧を供給することで、スイッチング電源の動作が継続する。
【００４５】
ＦＥＴ２５がオンして、制御回路５への電圧供給が開始すると、ツェナーダイオードＺＤ２４がオンし、トランジスタＴｒ２２がオンする。これにより、ＦＥＴ２０のゲート電圧が、２０Ｖから約０Ｖまで低下するため、ＦＥＴ２０はオフし、ＦＥＴ２０の電流は０となる。
【００４６】
すなわち、主として、ＦＥＴ２５、ツェナーダイオードＺ３０、ツェナーダイオードＺＤ２４、トランジスタＴｒ２２で起動スイッチ回路８０を構成する。
【００４７】
このように、本実施形態に係るスイッチング電源は、ツェナーダイオードＺＤ２１のツェナー電圧を基準として、抵抗Ｒ１６と抵抗Ｒ１７とで入力電圧を分割した電圧をトランジスタＴｒ１８で比較する。そして、入力電圧が所定の電圧に達したことを検出すると、トランジスタＴｒ２２がＦＥＴ２０をオンすることで、制御回路５に電圧を供給し、動作を開始させる
すなわち、抵抗Ｒ１６と抵抗Ｒ１７とで分割されたトランジスタＴｒ１８のベース電圧が、ツェナーダイオードＺＤ２１のツェナー電圧２０Ｖ−０．６Ｖを超えない限り、トランジスタＴｒ１８がオンし、トランジスタＴｒ２２もオンしているためＦＥＴ２０は導通せず、制御回路５に電圧は印加されない。このため、入力電圧検出回路５０の抵抗Ｒ１６と抵抗Ｒ１７の分割電圧を調整することで、制御回路５が動作を開始する入力電圧を任意に設定することができる。
【００４８】
また、本実施形態に係るスイッチング電源において、コンデンサＣ６への充電の際に、電流を制限する抵抗は突入防止として用いられる低抵抗の抵抗Ｒ４のみである。このため、コンデンサＣ６の電圧は即座に１６Ｖに達する。起動電圧を制御回路５に供給開始する時間は、別途設けた抵抗Ｒ２８とコンデンサＣ２７とによる時定数を調整することで、タイマ回路７０として、交流電源Ｖｉｎ１の電圧値とは無関係にほぼ自由に設定することができる。
【００４９】
さらに、本実施形態に係るスイッチング電源は、ＦＥＴ２５がオンした後は、起動スイッチ回路８０のトランジスタＴｒ２２でＦＥＴ２０のゲート電圧を下げてＦＥＴ２０をオフにするので、抵抗Ｒ１９を高抵抗にすることで通常動作時の損失を大幅に軽減することができる。
【００５０】
次に、本実施形態におけるスイッチング電源の応用例について図３の回路図を参照して説明する。本発明は、力率改善コンバータやフォワードコンバータ等の制御回路や制御ＩＣを有するＤＣ／ＤＣコンバータ等の種々のコンバータに適用することで起動電圧、起動時間、通常動作時における起動回路の損失低減を実現することが可能である。
【００５１】
図３は、力率改善コンバータに適用した場合の回路構成例である。上述の例と同じ構成については同じ符号を付している。本回路では、トランスＴ９に代えて１次巻線Ｍ３６、２次巻線Ｍ３７を備えたチョークコイルＴ３５を用いている。チョークコイルＴ３５の２次巻線３７は、一端が接地され、他端はダイオードＤ３８を介してコンデンサＣ６と、ＦＥＴ２５を介して制御回路５の電源入力端子に接続される。
【００５２】
力率改善コンバータの動作について説明する。ＦＥＴ２５がオンして制御回路５が動作を開始するまでの動作は上述の実施形態と同様である。制御回路５がＦＥＴ８のスイッチングを開始すると、チョークコイルＴ３５の１次巻線Ｍ３６にパルス電圧が印加される。
【００５３】
これにより、チョークコイルＴ３５の２次巻線Ｍ３７に電圧が誘起される。この電圧は、ダイオードＤ３８を経由してコンデンサＣ６を充電するとともに、ＦＥＴ２５を介して制御回路５に供給されることで制御回路５の動作が継続する。
【００５４】
ＦＥＴ２５がオンして、制御回路５への電圧供給が開始すると、ツェナーダイオードＺＤ２４がオンし、トランジスタＴｒ２２がオンする。これにより、ＦＥＴ２０のゲート電圧が、２０Ｖから約０Ｖまで低下するため、ＦＥＴ２０はオフし、ＦＥＴ２０の電流は０となる。
【００５５】
以上、応用例においても、抵抗Ｒ１６と抵抗Ｒ１７とで分割されたトランジスタＴｒ１８のベース電圧が、ツェナーダイオードＺＤ２１のツェナー電圧２０Ｖ−０．６Ｖを超えない限り、トランジスタＴｒ１８がオンし、トランジスタＴｒ２２もオンしているためＦＥＴ２０は導通せず、制御回路５に電圧は印加されない。このため、入力電圧検出回路５０の抵抗Ｒ１６と抵抗Ｒ１７の分割電圧を調整することで、制御回路５が動作を開始する入力電圧を任意に設定することができる。
【００５６】
また、コンデンサＣ６への充電の際に、電流を制限する抵抗は突入防止として用いられる低抵抗の抵抗Ｒ４のみである。このため、コンデンサＣ６の電圧は即座に１６Ｖに達する。起動電圧を制御回路５に供給開始する時間は、別途設けた抵抗Ｒ２８とコンデンサＣ２７とによる時定数を調整することで、タイマ回路７０として、交流電源Ｖｉｎ１の電圧値とは無関係にほぼ自由に設定することができる。
【００５７】
さらに、ＦＥＴ２５がオンした後は、起動スイッチ回路８０のトランジスタＴｒ２２でＦＥＴ２０のゲート電圧を下げてＦＥＴ２０をオフにするので、抵抗Ｒ１９を高抵抗にすることで通常動作時の損失を大幅に軽減することができる。
【符号の説明】
【００５８】
５…制御回路、５０…入力電圧検出回路、６０…レギュレータ回路、７０…タイマ回路、８０…起動スイッチ回路、Ｃ３…コンデンサ、Ｃ６…コンデンサ、Ｃ１１…コンデンサ、Ｃ２７…コンデンサ、Ｃ３１…コンデンサ、Ｄ１０…ダイオード、Ｄ７…ダイオード、Ｄ３８…ダイオード、ＤＢ２…ダイオードブリッジ、Ｍ１３…１次巻線、Ｍ１４…３次巻線、Ｍ１５…２次巻線、Ｍ３６…１次巻線、Ｍ３７…２次巻線、Ｒ４…抵抗、Ｒ１２…負荷抵抗、Ｒ１６…抵抗、Ｒ１７…抵抗、Ｒ１９…抵抗、Ｒ２３…抵抗、Ｒ２６…抵抗、Ｒ２８…抵抗、Ｒ３２…抵抗、Ｒ３３…抵抗、Ｒ３４…抵抗、Ｔ９…トランス、Ｔ３５…チョークコイル、Ｔｒ１８…トランジスタ、Ｔｒ２２…トランジスタ、Ｚ３０…ツェナーダイオード、ＺＤ１９…ツェナーダイオード、ＺＤ２１…ツェナーダイオード、ＺＤ２４…ツェナーダイオード、ＺＤ３０…ツェナーダイオード
【図１】
2011125132.tif 000003
【図２】
2011125132.tif 000004
【図３】
2011125132.tif 000005
【図４】
2011125132.tif 000006